【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
画像の描画コマンドを複数に分割する分割手段と、
前記分割手段により分割された描画コマンドに従って描画されるオブジェクトの位置を識別するためのＩＤ情報を生成する手段と、
前記分割手段により分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信手段とを有することを特徴とする表示制御装置。
【請求項２】
前記分割手段により分割された描画コマンドに従う処理に関する時間情報を生成する手段を有し、
前記描画コマンド送信手段は、前記分割手段により分割された描画コマンドと、該描画コマンドに従って描画されるオブジェクトの位置を識別するためのＩＤ情報と、該描画コマンドに従う処理に関する時間情報とを対応付けて、１つの表示画面を構成する複数の表示装置のそれぞれに送信することを特徴とする請求項１に記載の表示制御装置。
【請求項３】
前記分割手段は、前記画像の描画コマンドのデータ量に応じて、該描画コマンドを複数に分割することを特徴とする請求項１又は２に記載の表示制御装置。
【請求項４】
前記画像のレイアウトに関する指示情報を、前記複数の表示装置のそれぞれに送信する指示情報送信手段を有することを特徴とする請求項１〜３の何れか１項に記載の表示制御装置。
【請求項５】
１画面の画像の表示担当領域をメモリに記憶する記憶手段と、
前記１画面の画像の一部の描画コマンドと、該描画コマンドに従って描画されるオブジェクトの位置を識別するためのＩＤ情報とを表示制御装置から入力する入力手段と、
前記入力手段により入力されたＩＤ情報に基づいて、前記入力手段により入力された描画コマンドに従って描画されるオブジェクトが、前記メモリに記憶された表示担当領域に含まれるか否かを判定する判定手段と、
前記入力手段により入力された描画コマンドに従って描画されるオブジェクトが、前記メモリに記憶された表示担当領域に含まれることが、前記判定手段により判定された場合に、該入力された描画コマンドを受け付ける受付手段と、
前記受付手段により受け付けられた描画コマンドに従って描画を行う描画手段と、
前記描画手段により描画された結果に基づいて、前記表示担当領域の画像を表示する表示手段とを有することを特徴とする表示装置。
【請求項６】
画像の描画コマンドを複数に分割する分割ステップと、
前記分割ステップにより分割された描画コマンドに従って描画されるオブジェクトの位置を識別するためのＩＤ情報を生成するステップと、
前記分割ステップにより分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信ステップとを有することを特徴とする表示制御装置の制御方法。
【請求項７】
１画面の画像の表示担当領域をメモリに記憶する記憶ステップと、
前記１画面の画像の一部の描画コマンドと、該描画コマンドに従って描画されるオブジェクトの位置を識別するためのＩＤ情報とを表示制御装置から入力する入力ステップと、
前記入力ステップにより入力されたＩＤ情報に基づいて、前記入力ステップにより入力された描画コマンドに従って描画されるオブジェクトが、前記メモリに記憶された表示担当領域に含まれるか否かを判定する判定ステップと、
前記入力ステップにより入力された描画コマンドに従って描画されるオブジェクトが、前記メモリに記憶された表示担当領域に含まれることが、前記判定ステップにより判定された場合に、該入力された描画コマンドを受け付ける受付ステップと、
前記受付ステップにより受け付けられた描画コマンドに従って描画を行う描画ステップと、
前記描画ステップにより描画された結果に基づいて、前記表示担当領域の画像を表示装置に表示する表示ステップとを有することを特徴とする表示装置の制御方法。
【請求項８】
画像の描画コマンドを複数に分割する分割ステップと、
前記分割ステップにより分割された描画コマンドに従って描画されるオブジェクトの位置を識別するためのＩＤ情報を生成するステップと、
前記分割ステップにより分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信ステップとをコンピュータに実行させることを特徴とするプログラム。
【請求項９】
１画面の画像の表示担当領域をメモリに記憶する記憶ステップと、
前記１画面の画像の一部の描画コマンドと、該描画コマンドに従って描画されるオブジェクトの位置を識別するためのＩＤ情報とを表示制御装置から入力する入力ステップと、
前記入力ステップにより入力されたＩＤ情報に基づいて、前記入力ステップにより入力された描画コマンドに従って描画されるオブジェクトが、前記メモリに記憶された表示担当領域に含まれるか否かを判定する判定ステップと、
前記入力ステップにより入力された描画コマンドに従って描画されるオブジェクトが、前記メモリに記憶された表示担当領域に含まれることが、前記判定ステップにより判定された場合に、該入力された描画コマンドを受け付ける受付ステップと、
前記受付ステップにより受け付けられた描画コマンドに従って描画を行う描画ステップと、
前記描画ステップにより描画された結果に基づいて、前記表示担当領域の画像を表示装置に表示する表示ステップとをコンピュータに実行させることを特徴とするプログラム。
【手続補正２】
【補正対象書類名】明細書
【補正対象項目名】発明の名称
【補正方法】変更
【補正の内容】
【発明の名称】表示制御装置及び表示装置
【手続補正３】
【補正対象書類名】明細書
【補正対象項目名】０００１
【補正方法】変更
【補正の内容】
【０００１】
本発明は、表示制御装置及び表示装置に関し、特に、複数の表示装置を組合せて１画面の表示を行うために用いて好適なものである。
【手続補正４】
【補正対象書類名】明細書
【補正対象項目名】００１５
【補正方法】変更
【補正の内容】
【００１５】
本発明の表示制御装置は、画像の描画コマンドを複数に分割する分割手段と、前記分割手段により分割された描画コマンドに従って描画されるオブジェクトの位置を識別するためのＩＤ情報を生成する手段と、前記分割手段により分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信手段とを有することを特徴とする。
本発明の表示装置は、１画面の画像の表示担当領域をメモリに記憶する記憶手段と、前記１画面の画像の一部の描画コマンドと、該描画コマンドに従って描画されるオブジェクトの位置を識別するためのＩＤ情報とを表示制御装置から入力する入力手段と、前記入力手段により入力されたＩＤ情報に基づいて、前記入力手段により入力された描画コマンドに従って描画されるオブジェクトが、前記メモリに記憶された表示担当領域に含まれるか否かを判定する判定手段と、前記入力手段により入力された描画コマンドに従って描画されるオブジェクトが、前記メモリに記憶された表示担当領域に含まれることが、前記判定手段により判定された場合に、該入力された描画コマンドを受け付ける受付手段と、前記受付手段により受け付けられた描画コマンドに従って描画を行う描画手段と、前記描画手段により描画された結果に基づいて、前記表示担当領域の画像を表示する表示手段とを有することを特徴とする。
【手続補正５】
【補正対象書類名】明細書
【補正対象項目名】００１６
【補正方法】変更
【補正の内容】
【００１６】
本発明の表示制御装置の制御方法は、画像の描画コマンドを複数に分割する分割ステップと、前記分割ステップにより分割された描画コマンドに従って描画されるオブジェクトの位置を識別するためのＩＤ情報を生成するステップと、前記分割ステップにより分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信ステップとを有することを特徴とする。
また、本発明の表示装置の制御方法は、１画面の画像の表示担当領域をメモリに記憶する記憶ステップと、前記１画面の画像の一部の描画コマンドと、該描画コマンドに従って描画されるオブジェクトの位置を識別するためのＩＤ情報とを表示制御装置から入力する入力ステップと、前記入力ステップにより入力されたＩＤ情報に基づいて、前記入力ステップにより入力された描画コマンドに従って描画されるオブジェクトが、前記メモリに記憶された表示担当領域に含まれるか否かを判定する判定ステップと、前記入力ステップにより入力された描画コマンドに従って描画されるオブジェクトが、前記メモリに記憶された表示担当領域に含まれることが、前記判定ステップにより判定された場合に、該入力された描画コマンドを受け付ける受付ステップと、前記受付ステップにより受け付けられた描画コマンドに従って描画を行う描画ステップと、前記描画ステップにより描画された結果に基づいて、前記表示担当領域の画像を表示装置に表示する表示ステップとを有することを特徴とする。
【手続補正６】
【補正対象書類名】明細書
【補正対象項目名】００１７
【補正方法】変更
【補正の内容】
【００１７】
本発明のプログラムは、画像の描画コマンドを複数に分割する分割ステップと、前記分割ステップにより分割された描画コマンドに従って描画されるオブジェクトの位置を識別するためのＩＤ情報を生成するステップと、前記分割ステップにより分割された描画コマンドと、該描画コマンドに従って描画されるオブジェクトの位置を識別するためのＩＤ情報とを対応付けて、１つの表示画面を構成する複数の表示装置のそれぞれに送信する描画コマンド送信ステップとをコンピュータに実行させることを特徴とする。
本発明のプログラムの他の態様では、１画面の画像の表示担当領域をメモリに記憶する記憶ステップと、前記１画面の画像の一部の描画コマンドと、該描画コマンドに従って描画されるオブジェクトの位置を識別するためのＩＤ情報とを表示制御装置から入力する入力ステップと、前記入力ステップにより入力されたＩＤ情報に基づいて、前記入力ステップにより入力された描画コマンドに従って描画されるオブジェクトが、前記メモリに記憶された表示担当領域に含まれるか否かを判定する判定ステップと、前記入力ステップにより入力された描画コマンドに従って描画されるオブジェクトが、前記メモリに記憶された表示担当領域に含まれることが、前記判定ステップにより判定された場合に、該入力された描画コマンドを受け付ける受付ステップと、前記受付ステップにより受け付けられた描画コマンドに従って描画を行う描画ステップと、前記描画ステップにより描画された結果に基づいて、前記表示担当領域の画像を表示装置に表示する表示ステップとをコンピュータに実行させることを特徴とする。
【手続補正７】
【補正対象書類名】明細書
【補正対象項目名】００２７
【補正方法】変更
【補正の内容】
【００２７】
＜画像データパケットの構成（図３）＞
マルチディスプレイシステム６１内の伝送に用いる画像データパケットの構成を説明する。図３は、画像データパケットの構成の一例を示す図である。
図３（ａ）は、画像データパケット９０を示す図である。図３（ｂ）は、画像データパケット９０の構成を示す図である。図３（ｂ）に示すように、画像データパケット９０は、パケットヘッダ９１と描画コマンド９２とを有している。
【手続補正８】
【補正対象書類名】明細書
【補正対象項目名】００２８
【補正方法】変更
【補正の内容】
【００２８】
図３（ｃ）は、パケットヘッダ９１と描画コマンド９２の構成を示す図である。パケット識別情報部９３は、パケット種別を示す。このパケット種別情報部９３には、自身が描画コマンドをパケット化したものか否かを識別するためのＩＤ情報や、バージョン情報等が格納されている。更に、パケット長やチェックサム等のパケット処理に必要な情報がパケット種別情報部９３に格納されていてもよい。
同期データ部９４には、描画コマンド９２をレンダリングした結果を表示する時刻等の各種のタイムスタンプが格納される。